(57)【要約】【課題】  個別制御、グループ制御、パターン制御を実現する照明制御システムに用いられる設定装置において、設定作業を容易に行えるようにするとともに、紛失を防止する。【解決手段】  壁面に設置されるスイッチＳ２１〜Ｓ２４；Ｓ３１〜Ｓ３４；Ｓ４１〜Ｓ４４に対して、個別制御する場合の個別アドレス、グループ制御する場合のグループナンバー、パターン制御する場合のパターンナンバーを、設定装置１は赤外線通信で設定を行う。一方、各スイッチと、実際に負荷を制御するリレーＲｙ１〜Ｒｙ８との対応関係は、該設定装置１を操作端末Ｔ１に装着し、通信線３を介して伝送ユニットＴ０に接続することで行う。したがって、２種類の設定を一台で行い、設定作業を容易に行うことができる。また、可搬型であるその設定装置１を壁面設置の操作端末Ｔ１に装着しておくことで、紛失を防止することもできる。【選択図】      図１
2006093983.tif 000002
【特許請求の範囲】
【請求項１】
複数の負荷制御端末および複数の操作端末が通信線を介して制御装置に接続され、該制御装置が各操作端末からの操作に応答して、対応する１または複数の負荷制御端末を介して負荷を駆動するようにした制御システムに用いられ、前記各操作端末と負荷制御端末との対応を設定する設定装置において、
壁面に設置される操作端末に対して、赤外線通信で、その操作端末が制御対象とすべき負荷機器を設定させる第１の設定手段と、前記通信線を介して制御装置に接続され、前記第１の設定手段で制御対象の負荷機器が設定された各操作端末と、実際の負荷制御端末との対応関係を設定する第２の設定手段とを備える本体部と、
前記操作端末の少なくとも一部とともに前記壁面に併設され、前記本体部が着脱自在であり、前記本体部の装着状態で、該本体部を前記通信線へ接続する接続手段を備える受け部とを含むことを特徴とする制御システムの設定装置。
【請求項２】
前記本体部は、前記受け部に装着された状態で、前記通信線を介して制御装置から給電が行われるとともに、非設定状態では、前記制御装置から与えられる負荷状態を表示していることを特徴とする請求項１記載の制御システムの設定装置。
【請求項３】
前記第１の設定手段および操作端末における赤外線通信部は、双方向通信可能であり、操作端末から第１の設定手段へは、設定に先立って、既に設定されている内容を読出し可能となっており、前記本体部において、入力手段への入力操作に応答して、操作端末における操作チャネルを選択して、そのチャネルの負荷機器の情報を表示部に表示することを特徴とする請求項１または２記載の制御システムの設定装置。
【発明の詳細な説明】
【技術分野】
【０００１】
本発明は、照明制御システムなどの多くの負荷機器を制御するシステムで好適に使用される設定装置に関する。
【背景技術】
【０００２】
前記照明制御システムなどの多くの負荷機器を制御するシステムでは、実際に負荷機器を制御するリレーなどを含む負荷制御端末と、壁面スイッチなどの複数の操作端末とを、通信線を介して制御装置に接続し、該制御装置が各操作端末からの操作に応答して、対応する１または複数の負荷制御端末を介して負荷機器を駆動することで、前記負荷機器の多様な制御が可能な制御システムが実用化されている。たとえば、前記照明制御システムでは、各壁面スイッチが対応する１または複数の照明機器の点滅を制御する個別制御、グループ分けした１または複数の照明機器の点滅をグループ毎に制御するグループ制御、外部の明るさなどに応じて点灯パターンを変化するパターン制御などが、各操作端末と負荷制御端末との対応を任意に設定することで可能となっている。
【０００３】
そのような多様な制御を実現するためには、各操作端末には、個別制御する場合の個別アドレス、グループ制御する場合のグループナンバー、パターン制御する場合のパターンナンバーなどの制御対象の負荷機器を設定する必要があり、一方、前記制御装置には、グループ１にはどの負荷機器が対応するか、パターン１にはどの負荷機器が対応するかなどの各操作端末と実際の負荷制御端末との対応関係を設定する必要がある。
【０００４】
そこで、その設定作業に必要となる設定装置が従来から提案されている。特許文献１には、負荷アドレスの設定とパターン／グループ設定とを、同時にかつ容易に行えるようにした一体型の負荷制御データ設定器が開示されている。また、特許文献２には、アドレス設定可能なリモコンを、通常の壁面スイッチとして使用可能なように、規格化されたプレートと同形状に形成し、壁面から着脱自在としたワイヤレススイッチが開示されている。
【特許文献１】特開２０００−１１５８６５号公報
【特許文献２】特開平４−２３３８９５号公報
【発明の開示】
【発明が解決しようとする課題】
【０００５】
任意の壁面に設置される各操作端末への負荷機器の設定を行うために、これらの先行技術は、いずれも赤外線リモコンである。特許文献１は、その赤外線リモコンの機能に、制御装置へ有線接続し、パターン／グループ設定を行う機能を備えている。しかしながら、制御装置との有線による接続については、詳しく記載されていないが、操作端末付近から引出した通信線に端子接続などで行うようになっているものと考えられる。したがって、各操作端末への負荷機器の設定はリモコンによって容易に行うことができるけれども、パターン／グループ設定には、壁面のプレートを外して通信線を引出して行わなければならず、煩雑である。また、一旦設定すると、部屋の模様替えや、季節の変化などに対してしか使用されないリモコンの管理ができず、紛失の虞がある。
【０００６】
この点、特許文献２では、リモコンを壁面に収納可能にしており、壁面に装着することで通常の壁面スイッチとして使用し、取外すことでリモコンとして使用可能となっている。しかしながら、この特許文献２は、単に壁面にリモコンを収納しただけである。一方、この設定器の場合、部屋内などの任意の壁面に設置される操作端末に対して、制御装置は分電盤や管理室などの遠隔地に設置されており、リモコンで設定するにはそれらの設置場所に行かなければならず、面倒である。
【０００７】
本発明の目的は、設定作業を容易に行うことができるとともに、紛失を防止することができる制御システムの設定装置を提供することである。
【課題を解決するための手段】
【０００８】
本発明の制御システムの設定装置は、複数の負荷制御端末および複数の操作端末が通信線を介して制御装置に接続され、該制御装置が各操作端末からの操作に応答して、対応する１または複数の負荷制御端末を介して負荷を駆動するようにした制御システムに用いられ、前記各操作端末と負荷制御端末との対応を設定する設定装置において、壁面に設置される操作端末に対して、赤外線通信で、その操作端末が制御対象とすべき負荷機器を設定させる第１の設定手段と、前記通信線を介して制御装置に接続され、前記第１の設定手段で制御対象の負荷機器が設定された各操作端末と、実際の負荷制御端末との対応関係を設定する第２の設定手段とを備える本体部と、前記操作端末の少なくとも一部とともに前記壁面に併設され、前記本体部が着脱自在であり、前記本体部の装着状態で、該本体部を前記通信線へ接続する接続手段を備える受け部とを含むことを特徴とする。
【０００９】
上記の構成によれば、複数の負荷制御端末および複数の操作端末が通信線を介して制御装置に接続され、該制御装置が各操作端末からの操作に応答して、対応する１または複数の負荷制御端末を介して負荷機器を駆動するようにし、前記各操作端末と負荷制御端末との対応を任意に設定することで、個別制御、グループ制御、パターン制御などの多様な制御を実現する照明制御システムなどに用いられ、前記設定を行うための設定装置において、前記個別制御する場合の個別アドレス、グループ制御する場合のグループナンバー、パターン制御する場合のパターンナンバーなどの制御対象の負荷機器を、壁面に設置されるスイッチなどの操作端末に対して、赤外線通信で設定させる第１の設定手段と、前記通信線を介して制御装置に接続され、前記第１の設定手段で制御対象の負荷機器が設定された各操作端末と、実際の負荷制御端末との対応関係を設定する第２の設定手段とを備えて本体部を構成し、その本体部が着脱自在の受け部を前記操作端末の少なくとも一部とともに前記壁面に併設する。そして、前記本体部はこの受け部から取外した状態で、赤外線リモコンの態様で、室内や管理室などの任意の壁面に設置される操作端末に第１の設定手段によって前記制御対象の負荷機器を設定し、装着状態で、該受け部の接続手段を介して前記通信線へ接続し、第２の設定手段によって各操作端末と実際の負荷制御端末との対応関係を設定する。
【００１０】
したがって、前記赤外線リモコンの態様で、任意の壁面に設置される操作端末に制御対象の負荷機器を設定する第１の設定手段と、通信線を介して制御装置に接続され、各操作端末と実際の負荷制御端末との対応関係を設定する第２の設定手段とを一体で構成し、設定作業を容易に行うことができる。また、可搬型であるその本体部を受け部に装着するだけで、前記通信線に接続し、第２の設定手段による制御装置への設定が可能になる。さらにまた、不使用時には前記受け部に装着しておくことで、紛失を防止することもできる。
【００１１】
また、本発明の制御システムの設定装置では、前記本体部は、前記受け部に装着された状態で、前記通信線を介して制御装置から給電が行われるとともに、非設定状態では、前記制御装置から与えられる負荷状態を表示していることを特徴とする。
【００１２】
上記の構成によれば、受け部に着脱可能の本体部は、前記受け部に装着されると、前記通信線を介して制御装置から常時給電が行われ、受け部から取外した第１の設定手段による操作端末への設定時に使用される内蔵電池の消費が防止される。好ましくは、前記内蔵電池が２次電池とされ、受け部への装着状態で、充電されるようにしてもよい。
【００１３】
したがって、前記第２の設定手段による制御装置への設定時も給電が行われるとともに、非設定状態でも動作可能となり、前記制御装置から与えられる負荷状態を表示する。これによって、該設定装置が併設される操作端末が、たとえば該当負荷機器のＯＮ／ＯＦＦ程度しか表示できなくても、該設定装置側で、設定作業のために搭載されている表示装置を使用して、たとえば各負荷機器のＯＮ／ＯＦＦ状態を順に表示したり、ＯＮ状態の機器数を表示するなどの多様な制御状態の表示を行うことができる。
【００１４】
さらにまた、本発明の制御システムの設定装置では、前記第１の設定手段および操作端末における赤外線通信部は、双方向通信可能であり、操作端末から第１の設定手段へは、設定に先立って、既に設定されている内容を読出し可能となっており、前記本体部において、入力手段への入力操作に応答して、操作端末における操作チャネルを選択して、そのチャネルの負荷機器の情報を表示部に表示することを特徴とする。
【００１５】
上記の構成によれば、赤外線の双方向通信によって、設定に先立って、第１の設定手段へは操作端末から既に設定されている内容を読出し可能となっており、たとえば複数のスイッチが連装されるなどして、壁面に設置される前記操作端末が複数チャネルの負荷機器を制御可能になっている場合、本体部の表示部では、入力手段での選択操作によってチャネル選択を行い設定内容を表示する。
【００１６】
したがって、１つの操作端末に多くの負荷機器のチャネルが設定されていても、総てのチャネルの設定内容を詳細に表示することができる。
【発明の効果】
【００１７】
本発明の制御システムの設定装置は、以上のように、照明制御システムなどに用いられ、個別制御、グループ制御、パターン制御などの多様な制御を実現する設定を行うための設定装置において、前記個別制御する場合の個別アドレス、グループ制御する場合のグループナンバー、パターン制御する場合のパターンナンバーなどの制御対象の負荷機器を、壁面に設置されるスイッチなどの操作端末に対して、赤外線通信で設定させる第１の設定手段と、通信線を介して制御装置に接続され、前記第１の設定手段で制御対象の負荷機器が設定された各操作端末と、実際の負荷制御端末との対応関係を設定する第２の設定手段とを備えて本体部を構成し、その本体部が着脱自在の受け部を前記操作端末の少なくとも一部とともに前記壁面に併設する。そして、前記本体部はこの受け部から取外した状態で、赤外線リモコンの態様で、室内や管理室などの任意の壁面に設置される操作端末に第１の設定手段によって前記制御対象の負荷機器を設定し、装着状態で、該受け部の接続手段を介して前記通信線へ接続し、第２の設定手段によって各操作端末と実際の負荷制御端末との対応関係を設定する。
【００１８】
それゆえ、前記赤外線リモコンの態様で、任意の壁面に設置される操作端末に制御対象の負荷機器を設定する第１の設定手段と、通信線を介して制御装置に接続され、各操作端末と実際の負荷制御端末との対応関係を設定する第２の設定手段とを一体で構成し、設定作業を容易に行うことができる。また、可搬型であるその本体部を受け部に装着するだけで、前記通信線に接続し、第２の設定手段による制御装置への設定が可能になる。さらにまた、不使用時には前記受け部に装着しておくことで、紛失を防止することもできる。
【発明を実施するための最良の形態】
【００１９】
［実施の形態１］
図１は、本発明の実施の一形態に係る設定装置１を備える照明制御システム２の電気的構成を示すブロック図である。この照明制御システム２は、大略的に、負荷制御端末である複数（図１では８チャネル）のリレーＲｙ１〜Ｒｙ８の制御用のターミナルユニットＵ１，Ｕ２および複数（図１では３つ）の操作端末Ｔ１〜Ｔ３が共通の通信線３を介して制御装置である伝送ユニットＴ０に接続され、該伝送ユニットＴ０が各操作端末Ｔ１〜Ｔ３からの操作に応答して、対応する１または複数のリレーを介して照明機器を駆動するようにし、前記各操作端末Ｔ１〜Ｔ３とリレーＲｙ１〜Ｒｙ８との対応を任意に設定することで、個別制御、グループ制御、パターン制御などの多様な照明制御を実現可能に構成されている。
【００２０】
前記各操作端末Ｔ１〜Ｔ３は、室内や管理人室などの任意の壁面に設置される。これに対して、前記伝送ユニットＴ０、ターミナルユニットＵ１，Ｕ２、リレーＲｙ１〜Ｒｙ８およびリレーＲｙ１〜Ｒｙ８の駆動用の電力を供給するリモコントランス４は、分電盤５内に設置されている。そして、各操作端末Ｔ１〜Ｔ３、伝送ユニットＴ０、ターミナルユニットＵ１，Ｕ２、およびリレーＲｙ１〜Ｒｙ８間には、一対の信号線から成る前記通信線３を引回すだけでよく、各リレーＲｙ１〜Ｒｙ８は分電盤５内のブレーカなどからの商用交流をＯＮ／ＯＦＦして、照明機器Ｌ１〜Ｌ１０を駆動する。前記通信線３では、たとえばＲＳ４８５などの通信フォーマットで、±２４Ｖの信号で通信が行われる。
【００２１】
前記伝送ユニットＴ０は、８ビットのアドレスでリレーを識別可能であり、上位６ビットで０〜６３チャネルのターミナルユニットを識別し、下位２ビットで１〜４の負荷ナンバーを識別する。この図１の例では、ターミナルユニットはＵ１，Ｕ２の２台で、それぞれに４台のリレーＲｙ１〜Ｒｙ４；Ｒｙ１〜Ｒｙ８が接続されている。したがって、この図１の照明制御システム２では、操作端末Ｔ１〜Ｔ３には、８チャネルの各負荷チャネルに対応した個別制御のスイッチが必要になるとともに、グループ制御のスイッチおよびパターン制御のスイッチも必要に応じて設けられる。
【００２２】
図１の例では、操作端末Ｔ１には、個別制御のためのスイッチＳ１〜Ｓ８と、グループ／パターン制御のためのスイッチＳ１１〜Ｓ１８が設けられており（図面の簡略化のために、一部の符号は省略する）、たとえばスイッチＳ１の操作によって、負荷チャネル０のターミナルユニットＵ１で、負荷ナンバー１のリレーＲｙ１が制御され、負荷機器アドレス０−１の照明機器Ｌ１がＯＮ／ＯＦＦ制御される。同様に、スイッチＳ２〜Ｓ８によって、リレーＲｙ２〜Ｒｙ８が制御され、負荷機器アドレス０−２，０−３，０−４，１−１，１−２，１−３，１−４の照明機器Ｌ２・Ｌ３，Ｌ４，Ｌ５・Ｌ６，Ｌ７，Ｌ８，Ｌ９，Ｌ１０がそれぞれ個別制御される。
【００２３】
また、図１の例では、操作端末Ｔ１において、スイッチＳ１１〜Ｓ１４が操作されると、上述の各リレーＲｙ１〜Ｒｙ８を任意にグループ分けしたグループＧ−１〜Ｇ−４で、それぞれグループ制御が行われるようになっている。同様に、スイッチＳ１５〜Ｓ１８が操作されると、上述の各リレーＲｙ１〜Ｒｙ８を予め定めるパターンＰ−１〜Ｐ−４で、それぞれパターン制御が行われるようになっている。
【００２４】
前記各スイッチＳ１〜Ｓ８；Ｓ１１〜Ｓ１８の両側には、赤色の発光素子Ｄ１と緑色の発光素子Ｄ２とがそれぞれ設けられており、対応するスイッチがＯＮ状態であるときに赤色の発光素子Ｄ１が点灯し、緑色の発光素子Ｄ２が消灯し、ＯＦＦ状態であるときに赤色の発光素子Ｄ１が消灯し、緑色の発光素子Ｄ２が点灯し、ＯＮ／ＯＦＦ状態を表示するようになっている。残余のスイッチＳ２１〜Ｓ２４；Ｓ３１〜Ｓ３４，Ｓ４１〜Ｓ４４の上部両側には、赤色の発光素子Ｄ１と緑色の発光素子Ｄ２とがそれぞれ設けられており、それらのスイッチＳ２１〜Ｓ２４；Ｓ３１〜Ｓ３４，Ｓ４１〜Ｓ４４で代表のスイッチＳ２１，Ｓ３１，Ｓ４１の前記発光素子Ｄ１とＤ２との間には、後述の赤外線送受信部Ｄ３が設けられている。
【００２５】
操作端末Ｔ２では、スイッチＳ２１〜Ｓ２４が設けられており、ターミナルユニットＵ２側のリレーＲｙ５〜Ｒｙ８にそれぞれ対応した負荷機器アドレス１−１〜１−４が設定されている。また、操作端末Ｔ３では、スイッチＳ３１〜Ｓ３４，Ｓ４１〜Ｓ４４が設けられており、スイッチＳ３１〜Ｓ３４はターミナルユニットＵ１側のリレーＲｙ１〜Ｒｙ４にそれぞれ対応した負荷機器アドレス０−１〜０−４が設定されており、スイッチＳ４１〜Ｓ４４にはグループＧ−１，Ｇ−２、パターンＰ−１，Ｐ−２が順に設定されている。
【００２６】
したがって、上述の負荷機器アドレス０−１〜０−４，１−１〜１−４、グループＧ−１〜Ｇ−４、パターンＰ−１〜Ｐ−４を設定するために、前記設定装置１が用いられる。その設定作業について概略すると、操作端末Ｔ２，Ｔ３には、該設定装置１を操作端末Ｔ１から取外し、赤外線リモコンの態様で使用して設定が行われる。これに対して、操作端末Ｔ１では、該設定装置１を取付けた状態で行われ、さらに各スイッチＳ１〜Ｓ８，Ｓ１１〜Ｓ１８，Ｓ２１〜Ｓ２４，Ｓ３１〜Ｓ３４，Ｓ４１〜Ｓ４４と、実際のリレーＲｙ１〜Ｒｙ８との対応関係の設定が行われる。
【００２７】
一方、ターミナルユニットＵ１，Ｕ２については、６ビットのディップスイッチによって前記負荷チャネルが設定され、各リレーＲｙ１〜Ｒｙ４；Ｒｙ５〜Ｒｙ８に対する負荷ナンバーは、ターミナルユニットＵ１，Ｕ２のどの接続端子に接続するかによって決定される。
【００２８】
図２は、設定装置１を示す図であり、図２（ａ）は正面図であり、図２（ｂ）は上面図であり、図２（ｃ）は右側面図であり、図２（ｄ）は背面図である。この設定装置１は、大略的に、板状の本体１１に、電池収容部１２が突出して設けられて成り、前記電池収容部１２の背面には、前記通信線３と接続するための接点１３が設けられている。前記電池収容部１２内には釦状の電池１４が収容されている。前記本体１１の上面には、赤外線送受信部１５が設けられており、側面には電源スイッチＫ０が設けられており、正面には表示部１６および各種の操作キーＫ１〜Ｋ１０が設けられている。
【００２９】
図３は、上記設定装置１の分解斜視図である。この設定装置１の内部構成は、前記表示部１６となる液晶パネル２１、前記赤外線送受信部１５となる赤外線モジュール２２および前記接点１３となる端子ならびに前記電池１４の端子が搭載されるとともに、設定動作のための後述する制御回路やメモリなどの集積回路が搭載される回路基板２３上に、前記操作キーＫ１〜Ｋ１０となるラバースイッチ２４が積層され、それらを前カバー２５および後カバー２６によって挟込んで形成されている。前記後カバー２６の突出部分２７は開口しており、前記電池１４を収納した後、電池カバー２８で閉塞される。
【００３０】
図４は、上述のように構成された設定装置１を操作端末Ｔ１へ取付けるための取付け構造を示す分解斜視図である。図１の例で、操作端末Ｔ１は、規格のコンセントブロックの３連分の大きさに形成されており、該設定装置１のブロックＢ１と、前記スイッチＳ１〜Ｓ８のブロックＢ２と、前記スイッチＳ１１〜Ｓ１８のブロックＢ３とを備え、その外周部には化粧プレート３０が嵌め込まれている。スイッチＳ１〜Ｓ８；Ｓ１１〜Ｓ１８用のブロックＢ２，Ｂ３は、周知の手法で、壁面内に埋め込まれているボックスに直接ねじ止めされている。
【００３１】
一方、設定装置１は、図５で示す端子台を兼ねるベースブロック３１に装着されることになる。図５（ａ）は前記ベースブロック３１の正面図であり、図５（ｂ）は右側面図であり、図５（ｃ）は背面図である。このベースブロック３１は、大略的に舟型に形成され、その長手方向の両端部に形成された鍔３２，３３のねじ孔３４，３５を遊挿したねじが前記ボックスに形成されたねじ孔に螺着されることで、該ボックスにねじ止め固定される。このベースブロック３１内には設定装置１が嵌り込み、磁石３８によって吸着され、その前面には脱落防止のプレート３６が装着される。設定装置１がベースブロック３１に装着されると、前記接点１３がベースブロック３１側の接点３７と電気的に接続される。この接点３７は背面側の端子台３８と電気的に接続されており、同じボックス内に取付けられるブロックＢ２，Ｂ３に設けられる同様の端子台とともに、前記通信線３が、順に渡り配線される。
【００３２】
図６は、設定装置１の電気的構成を示すブロック図である。設定装置１は、マイクロコンピュータなどで実現され、設定動作を行う処理部４１と、その動作プログラムや設定値などを記憶するメモリ部４２と、前記通信線３を介して前記伝送ユニットＴ０やブロックＢ２，Ｂ３との通信を行う信号処理部４３と、電源部４４と、前記電池１４と、前記赤外線送受信部１５と、前記電源スイッチＫ０および操作キーＫ１〜Ｋ１０から成る操作部４５と、前記表示部１６とを備えて構成される。この図６で示す設定装置１の構成で、信号処理部４３を除く構成が、赤外線通信によって後述するような設定を行う第１の設定手段を構成し、赤外線送受信部１５を除く構成が、前記通信線３を介して伝送ユニットＴ０に接続され、後述するような設定を行う第２の設定手段を構成する。
【００３３】
電源部４４は、該設定装置１がベースブロック３１に装着されて接点１３，３７間が導通している場合には、前記通信線３の交流電流を信号処理部４３から取出し、整流・安定化して処理部４１から各部へ供給する。一方、該設定装置１がベースブロック３１から取外されている場合には、前記電池１４からの電力を処理部４１から各部へ供給する。電池１４を２次電池として、通信線３から給電が行われている場合に、該電池１４を充電するようにしてもよい。
【００３４】
図７は、操作端末Ｔ２，Ｔ３への設定操作を説明するための図である。この図７では、操作端末Ｔ２の態様への負荷機器の設定例について説明する。前述のように操作端末Ｔ２，Ｔ３への設定時には、設定装置１をベースブロック３１から取外した赤外線リモコンの態様による設定になり、電源スイッチＫ０を「入」にして、赤外線送受信部１５を操作端末Ｔ２の赤外線送受信部Ｄ３に近接させ、確認キーＫ１を操作することで双方向の通信が行われ、一連のスイッチＳ２１〜Ｓ２４から成る該操作端末（ブロック）の現状の設定内容が読出される。施工時などで特に現状の設定内容を確認する必要がなければ、この確認作業は省略されてもよい。
【００３５】
次に、表示部１６のスイッチ番号表示部Ａ１を確認しながらスイッチ選択キーＫ３が操作され、前記スイッチＳ２１〜Ｓ２４の内、設定対象のスイッチが選択される（図７（ａ）ではスイッチＳ２１が選択）。続いて、アドレス種別表示部Ａ２および動作モード表示部Ａ３を確認しながら、個別キーＫ７、パターンキーＫ９、グループキーＫ１０を操作して、個別アドレスを設定するのかグループナンバーを設定するのか、パターンナンバーを設定するのかが選択され（図１の操作端末Ｔ２の例では、個別アドレスの個別キーＫ７）、アドレス番号表示部Ａ４を確認しながら、アップキーＫ４またはダウンキーＫ５によって設定すべき負荷機器アドレス１−１が設定される。残余のスイッチＳ２２〜Ｓ２４を設定する場合は、前記スイッチ選択キーＫ３の操作から繰返され、図７（ｂ）で示すスイッチＳ２２の負荷機器アドレス１−２・・・図７（ｃ）で示すスイッチＳ２４の負荷機器アドレス１−４が設定される。こうして設定の入力が完了すると、前述と同様に、赤外線送受信部１５を操作端末Ｔ２の赤外線送受信部Ｄ３に近接させ、設定キーＫ２を操作することで操作端末Ｔ２側に送信されて実際に設定が行われ、設定操作を完了する。
【００３６】
これに対して、操作端末Ｔ１への設定操作では、先ず個別スイッチＳ１〜Ｓ８と対応する負荷機器番号、すなわち対応するリレーの設定が行われ、各リレーＲｙ１〜Ｒｙ８は、それぞれ個別のスイッチに設定される必要がある。この個別スイッチＳ１〜Ｓ８への設定は、負荷機器番号に変更がない限り、すなわち前記ターミナルユニットやリレーの増減または各リレーとターミナルユニットとの接続を変更する場合以外には行う必要がなく、施工時などに行われる。具体的には、設定キーＫ２が操作されて設定モードとなり、さらに個別キーＫ７が操作されて個別アドレスの設定モードとした後に、上述のようにスイッチ選択キーＫ３ならびにアップキーＫ４またはダウンキーＫ５によって設定すべきスイッチと負荷機器アドレスとを対応付けてもよく、或いは個別スイッチＳ１〜Ｓ８を直接操作することで選択して、合わせて設定装置１から負荷機器アドレスを設定するようにしてもよい。上述の設定操作では、設定装置１をベースブロック３１に装着して、ブロックＢ２，Ｂ３と通信線３を介して通信可能な状態で行われているけれども、上述のブロックＢ２，Ｂ３に赤外線送受信部Ｄ３を設けて赤外線リモコンの態様で行われてもよい。
【００３７】
また、各グループ／パターンと実際のリレーＲｙ１〜Ｒｙ８との対応関係の設定は、設定装置１をベースブロック３１に装着して、通信線３を介して伝送ユニットＴ０と通信可能な状態で、操作端末Ｔ１の他のブロックＢ２，Ｂ３を使用して行われる。すなわち、電源スイッチＫ０を「入」にして、パターン／グループ選択キーＫ６が操作され、パターン／グループ設定モードとされ、さらにパターンキーＫ９またはグループキーＫ１０が操作され、グループナンバーの設定か、パターンナンバーの設定かが選択される。次に、アップキーＫ４またはダウンキーＫ５によって設定するグループナンバーまたはパターンナンバーが選択される。続いて、スイッチＳ１１〜Ｓ１８を操作することでグループ設定またはパターン設定すべきスイッチが選択され、その状態でスイッチＳ１〜Ｓ８の内、対応すべきスイッチ、すなわちリレーを選択した後、設定キーＫ２を操作することで、スイッチＳ１１〜Ｓ１８とスイッチＳ１〜Ｓ８との対応付け、すなわち各グループ／パターンと実際のリレーとの対応関係が設定される。
【００３８】
以上のように本発明の設定装置１によれば、複数のターミナルユニットＵ１，Ｕ２および複数の操作端末Ｔ１〜Ｔ３が通信線３を介して伝送ユニットＴ０に接続され、該伝送ユニットＴ０が各操作端末Ｔ１〜Ｔ３からの操作に応答して、対応する１または複数のリレーＲｙ１〜Ｒｙ８を介して照明機器Ｌ１〜Ｌ１０を駆動するようにし、前記各操作端末Ｔ１〜Ｔ３とリレーＲｙ１〜Ｒｙ８との対応を任意に設定することで、個別制御、グループ制御、パターン制御などの多様な制御を実現する照明制御システムに用いられ、前記設定を行うための設定装置において、前記個別制御する場合の個別アドレス、グループ制御する場合のグループナンバー、パターン制御する場合のパターンナンバーなどの制御対象の照明機器Ｌ１〜Ｌ１０を、壁面に設置されるスイッチＳ１〜Ｓ８；Ｓ１１〜Ｓ１８；Ｓ２１〜Ｓ２４；Ｓ３１〜Ｓ３４；Ｓ４１〜Ｓ４４に対して、赤外線通信で設定させる第１の設定手段と、前記通信線３を介して伝送ユニットＴ０に接続され、前記第１の設定手段で制御対象の照明機器Ｌ１〜Ｌ１０が設定された各スイッチＳ１〜Ｓ８；Ｓ１１〜Ｓ１８；Ｓ２１〜Ｓ２４；Ｓ３１〜Ｓ３４；Ｓ４１〜Ｓ４４と、実際に負荷を制御するリレーＲｙ１〜Ｒｙ８との対応関係を設定する第２の設定手段とを備えて本体１１を構成し、その本体１１が着脱自在のベースブロック３１を前記スイッチＳ１〜Ｓ８；Ｓ１１〜Ｓ１８とともに前記壁面に併設する。そして、前記本体１１はこのベースブロック３１から取外した状態で、赤外線リモコンの態様で、室内や管理室などの任意の壁面に設置される操作端末Ｔ２，Ｔ３に第１の設定手段によって前記制御対象の照明機器Ｌ１〜Ｌ１０を設定し、装着状態で、該ベースブロック３１の接点３７から端子台３８を介して前記通信線３へ接続し、第２の設定手段によって各スイッチＳ１〜Ｓ８；Ｓ１１〜Ｓ１８；Ｓ２１〜Ｓ２４；Ｓ３１〜Ｓ３４；Ｓ４１〜Ｓ４４とリレーＲｙ１〜Ｒｙ８との対応関係を設定する。
【００３９】
したがって、前記赤外線リモコンの態様で、任意の壁面に設置される操作端末Ｔ２，Ｔ３に制御対象の照明機器Ｌ１〜Ｌ１０を設定する第１の設定手段と、通信線３を介して伝送ユニットＴ０に接続され、各スイッチＳ１〜Ｓ８；Ｓ１１〜Ｓ１８；Ｓ２１〜Ｓ２４；Ｓ３１〜Ｓ３４；Ｓ４１〜Ｓ４４とリレーＲｙ１〜Ｒｙ８との対応関係を設定する第２の設定手段とを一体で構成し、設定作業を容易に行うことができる。また、可搬型であるその本体１１をベースブロック３１に装着するだけで、前記通信線３に接続し、第２の設定手段による伝送ユニットＴ０への設定が可能になる。さらにまた、不使用時には前記ベースブロック３１に装着しておくことで、紛失を防止することもできる。
【００４０】
また、上記設定装置１および操作端末Ｔ２，Ｔ３における赤外線通信部１５，Ｄ３は、双方向通信可能であり、操作端末Ｔ２，Ｔ３から設定装置１へは、設定に先立って、既に設定されている内容を読出し可能となっており、表示部１６において、操作部４５への入力操作に応答して、操作端末Ｔ２，Ｔ３におけるスイッチＳ２１〜Ｓ２４；Ｓ３１〜Ｓ３４；Ｓ４１〜Ｓ４４を選択して、そのスイッチＳ２１〜Ｓ２４；Ｓ３１〜Ｓ３４；Ｓ４１〜Ｓ４４の負荷機器の情報を表示部１６に表示するので、このように複数のスイッチが連装されても、総てのスイッチの設定内容を詳細に表示することができる。
【００４１】
前記設定装置１は、ベースブロック３１に装着された状態で、設定操作を終了しても電源スイッチＫ０が「入」のままであると、引続き前記通信線３を介して伝送ユニットＴ０から給電が行われるとともに、表示部１６で伝送ユニットＴ０から与えられる負荷状態を表示している。
【００４２】
たとえば、図８（ａ）はスイッチＳ１の状態を表し、アドレス種別表示部Ａ２には個別制御であることが示され、アドレス番号表示部Ａ４にはその個別制御のアドレス「１」が示され、スイッチ番号表示部Ａ１には点灯中であることを表す「○」が表示されている。一方、図８（ｂ）のスイッチＳ２の状態では、アドレス種別表示部Ａ２には個別制御であることが示され、アドレス番号表示部Ａ４にはその個別制御のアドレス「２」が示され、スイッチ番号表示部Ａ１には消灯中であることを表す「−」が表示されている。さらにまた、図８（ｃ）はスイッチＳ８の状態を表し、アドレス種別表示部Ａ２には個別制御であることが示され、アドレス番号表示部Ａ４にはその個別制御のアドレス「８」が示され、スイッチ番号表示部Ａ１には点灯中であることを表す「○」が表示されている。
【００４３】
これに対して、図８（ｄ）はスイッチＳ１１の状態を表し、アドレス種別表示部Ａ２にはグループ制御であることが示され、アドレス番号表示部Ａ４にはグループナンバー「１」が示され、スイッチ番号表示部Ａ１には消点灯中であることを表す「−」が表示されている。一方、図８（ｅ）はスイッチＳ１８の状態を表し、アドレス種別表示部Ａ２にはパターン制御であることが示され、アドレス番号表示部Ａ４にはパターンナンバー「４」が示され、スイッチ番号表示部Ａ１には点灯中であることを表す「○」が表示されている。
【００４４】
また、図８（ｆ）は、アドレス種別表示部Ａ２の表示が無く、スイッチの内容を表示しているのではないことを表し、スイッチ番号表示部Ａ１には総負荷（リレー）数であることをことを表す「Ｌ」が表示され、アドレス番号表示部Ａ４には総負荷（リレー）数「８」が示されている。図８（ｇ）も同様に、スイッチの内容ではなく、スイッチ番号表示部Ａ１にはＯＮ中の負荷（リレー）数であることをことを表す「○」が表示され、アドレス番号表示部Ａ４にはその負荷（リレー）数「５」が示されている。
【００４５】
このような表示を行うことで、該設定装置１が併設される操作端末Ｔ１が、前記発光素子Ｄ１，Ｄ２によって該当スイッチＳ１〜Ｓ８，Ｓ１１〜Ｓ１８のＯＮ／ＯＦＦ程度しか表示できなくても、該設定装置１側で、多様な制御状態の表示を行うことができる。上述の図８（ａ）〜図８（ｇ）の表示は、予め定める時間毎に自動的に切替えられていってもよく、或いはアップキーＫ４やダウンキーＫ５の操作によって選択されてもよい。
【図面の簡単な説明】
【００４６】
【図１】本発明の実施の一形態に係る設定装置を備える照明制御システムの電気的構成を示すブロック図である。
【図２】図１で示す照明制御システムにおける設定装置を示す図である。
【図３】図２で示す設定装置の分解斜視図である。
【図４】図２で示す設定装置を操作端末へ取付けるための取付け構造を示す分解斜視図である。
【図５】前記設定装置を壁面に取付けるベースブロックを示す図である。
【図６】設定装置の電気的構成を示すブロック図である。
【図７】赤外線リモコンの態様での設定操作を説明するための図である。
【図８】設定装置の表示部を利用した負荷状態の表示例を示す図である。
【符号の説明】
【００４７】
１    設定装置
２    照明制御システム
３    通信線
４    リモコントランス
５    分電盤
１１    本体
１２    電池収容部
１３，３７    接点
１４    電池
１５    赤外線送受信部
１６    表示部
２１    液晶パネル
２２    赤外線モジュール
２３    回路基板
２４    ラバースイッチ
２５    前カバー
２６    後カバー
２８    電池カバー
３０    化粧プレート
３１    ベースブロック
３２，３３    鍔
３４，３５    ねじ孔
３６    プレート
３８    端子台
４１    処理部
４２    メモリ部
４３    信号処理部
４４    電源部
４５    操作部
Ａ１    スイッチ番号表示部
Ａ２    アドレス種別表示部
Ａ３    動作モード表示部
Ａ４    アドレス番号表示部
Ｂ１〜Ｂ３    ブロック
Ｄ１，Ｄ２    発光素子
Ｄ３    赤外線送受信部
Ｋ０    電源スイッチ
Ｋ１〜Ｋ１０    操作キー
Ｌ１〜Ｌ１０    照明機器
Ｒｙ１〜Ｒｙ８    リレー
Ｓ１〜Ｓ８，Ｓ１１〜Ｓ１８；Ｓ２１〜Ｓ２４；Ｓ３１〜Ｓ３４，Ｓ４１〜Ｓ４４
スイッチ
Ｔ１〜Ｔ３    操作端末
Ｔ０    伝送ユニット
Ｕ１，Ｕ２    ターミナルユニット
【図１】
2006093983.tif 000003
【図２】
2006093983.tif 000004
【図３】
2006093983.tif 000005
【図４】
2006093983.tif 000006
【図５】
2006093983.tif 000007
【図６】
2006093983.tif 000008
【図７】
2006093983.tif 000009
【図８】
2006093983.tif 000010